(57)【要約】【課題】  表示ずれや２重写りなどを起こさず多色表示を行う。【解決手段】    セグメント電極に印加する電圧を調整することで第１の液晶層の配向状態を制御可能な第１の液晶セルと、第１の液晶セルにおける所定の文字や図形を完全に包含する第２の画素電極を備え、第２の画素電極に印加する電圧を調整することで第２の液晶層の配向状態を制御可能な第２の液晶セルと、第１、第２の液晶セルを含む層構造パネルにおける基板の法線方向に関して両側に配置された２枚のクロスポラライザーと、複数の色の発光が可能な光源と、１フレームを複数のサブフレームに時分割し、各サブフレーム内で所定の色の光を発光させ、その発光に同期させてセル構造体の複数の表示領域の透光および遮光の状態を制御する制御回路とを有し、前記第１、第２の液晶セルの少なくとも一方の液晶セルの液晶層の配向状態を、駆動状態と非駆動状態の中間の状態に制御することで階調表示を行う液晶表示素子を提供する。【選択図】図３
2008249815.tif 000002
【特許請求の範囲】
【請求項１】
対向する第１の一対の基板と、該第１の一対の基板間に保持された第１の液晶層とを含み、前記第１の一対の基板が、所定の文字や図形を表示させる少なくとも一対の第１の画素電極を備え、該第１の画素電極に印加する電圧を調整することで該第１の液晶層の配向状態を制御可能な第１の液晶セルと、
対向する第２の一対の基板と、該第２の一対の基板間に保持された第２の液晶層とを含み、前記第２の一対の基板が、前記第１の液晶セルにおける所定の文字や図形を完全に包含する第２の画素電極を備え、該第２の画素電極に印加する電圧を調整することで該第２の液晶層の配向状態を制御可能な第２の液晶セルと、
前記第１、第２の液晶セルを含む層構造パネルにおける前記基板の法線方向に関して両側に配置された２枚のクロスポラライザーと、
複数の色の発光が可能な光源と、
１フレームを複数のサブフレームに時分割し、各サブフレーム内で所定の色の光を発光させ、その発光に同期させて前記第１および第２の液晶セルを含む構造体の複数の画素領域の透光および遮光の状態を制御する制御回路と
を有し、
前記第１、第２の液晶セルの少なくとも一方の液晶セルの液晶層の配向状態を、駆動状態と非駆動状態の中間の駆動状態に制御することで階調表示を行う液晶表示素子。
【請求項２】
前記制御回路が、前記第１の液晶セルに形成された電極と、前記第２の液晶セルに形成された第２の画素電極により画定される所定の表示領域を、前記サブフレームのいずれか１つのみで透光状態とするか、もしくは全てのサブフレームにおいて遮光状態とするよう制御する請求項１記載の液晶表示素子。
【請求項３】
前記所定の表示領域の各々を画定する前記第１の液晶セルと前記第２の液晶セルの双方が駆動状態もしくは非駆動状態の場合に、該表示領域の各々が遮光状態となる請求項１または２記載の液晶表示素子。
【請求項４】
前記制御回路が、前記サブフレームの各々でひとつの原色光を通し、ある表示領域では複数のサブフレームで透光状態とすることにより混色表示を行う請求項１記載の液晶表示素子。
【請求項５】
前記光源がＬＥＤを有する請求項１〜４のいずれか１項記載の液晶表示素子。
【請求項６】
請求項１〜５のいずれか１項記載の液晶表示素子を含む投射型表示装置であって、
前記光源が平行光を出射する構造である投射型表示装置。
【請求項７】
請求項１〜５のいずれか１項記載の液晶表示素子を含む投射型表示装置であって、
前記光源が放射光を発する点光源であり、
さらに、前記液晶表示素子を挟んで前記点光源とは反対側にフレネルレンズを有する投射型表示装置。
【請求項８】
対向する第１の一対の基板と、該第１の一対の基板間に保持された第１の液晶層とを含み、前記第１の一対の基板が、所定の文字や図形を表示させる少なくとも一対の第１の画素電極を備え、該第１の画素電極に印加する電圧を調整することで該第１の液晶層の配向状態を制御可能な第１の液晶セルと、
対向する第２の一対の基板と、該第２の一対の基板間に保持された第２の液晶層とを含み、前記第２の一対の基板が、前記第１の液晶セルにおける所定の文字や図形を完全に包含する第２の画素電極を備え、該第２の画素電極に印加する電圧を調整することで該第２の液晶層の配向状態を制御可能な第２の液晶セルと、
前記第１、第２の液晶セルを含む層構造パネルにおける前記基板の法線方向に関して両側に配置された２枚のクロスポラライザーと、
複数の色の発光が可能な光源と、
１フレームを複数のサブフレームに時分割し、各サブフレーム内で所定の色の光を発光させ、その発光に同期させて前記第１および第２の液晶セルを含む構造体の複数の画素領域の透光および遮光の状態を制御する制御回路と
を有する液晶表示素子の駆動方法であって、
前記第１、第２の液晶セルの少なくとも一方の液晶セルの液晶層の配向状態を、駆動状態と非駆動状態の中間の駆動状態に制御することで階調表示を行う液晶表示素子の駆動方法。
【請求項９】
あるサブフレームで透光状態とされた表示領域は、他のサブフレームでは遮光状態となるよう制御されると共に、
１フレームが少なくとも第１のサブフレームと第２のサブフレームを含み、
前記光源が少なくとも第１の色と第２の色を発光可能であり、
前記第１のサブフレームにおいて前記第１の色が透過した表示領域とは別の表示領域に、前記第２のサブフレームにおいて前記第２の色を透過させる請求項８記載の液晶表示素子の駆動方法。
【請求項１０】
前記サブフレームの各々でひとつの原色光を通し、ある表示領域では複数のサブフレームで透光状態とすることにより混色表示を行う請求項８記載の液晶表示素子の駆動方法。
【請求項１１】
前記光源が平行光を出射する構造である請求項８〜１０のいずれか１項記載の液晶表示素子を用いた投射型表示装置の駆動方法。
【請求項１２】
請求項８〜１０のいずれか１項記載の液晶表示素子を用いた投射型表示装置の駆動方法であって、
前記光源が放射光を発する点光源であり、前記液晶表示素子を挟んで前記点光源とは反対側にフレネルレンズを有する投射型表示装置の駆動方法。
【発明の詳細な説明】
【技術分野】
【０００１】
本発明は、液晶表示素子、それを用いた投射型表示装置およびそれぞれの駆動方法に関し、特にフィールドシーケンシャル（ＦＳ）駆動方式の液晶表示素子（ＬＣＤ）、それを用いた投射型表示装置およびそれぞれの駆動方法に関する。
【背景技術】
【０００２】
液晶表示素子では一般に、黒背景に白表示をさせたものをネガ表示、白背景に黒表示をさせたものをポジ表示と呼んでいる。
【０００３】
ネガ表示に黒背景に白以外の色を表示させるカラー表示液晶表示素子や、ポジ表示において白背景に黒以外の色を表示させるカラー表示液晶表示素子の駆動方法として、フィールドシーケンシャル（ＦＳ）駆動方式が知られている。特許文献１〜特許文献４は、表示セグメントを白黒以外のカラー色にしたＦＳ駆動方式の液晶表示素子を提案している。
【０００４】
ＦＳＬＣＤの使用において、一般的にはいわゆる時間分割混色法を用いる。その際、例えば周囲環境が暗い場合やＬＣＤが振動する場合、または観察者の視線が高速に移動する場合、混色表示時に各色表示状態が人間の目に分離して観察される、いわゆるカラーブレーク現象が生じ、表示品位が著しく低下する。
【０００５】
特許文献５は、表示セグメントと背景色の両方とも任意のカラー表示を行い、カラーブレークを起こさないＦＳ駆動（以下、カラーブレークレス駆動方法と呼ぶ）の液晶表示素子を提案している。
【０００６】
【特許文献１】特開平１１−０８５０６２号公報
【特許文献２】特開２００４−０２９１５４号公報
【特許文献３】特開２００４−２９４８２４号公報
【特許文献４】特開２００２−３０３８４６号公報
【特許文献５】特開２００６−３３０６１２号公報
【発明の開示】
【発明が解決しようとする課題】
【０００７】
特許文献５に記載の液晶表示素子の場合、２つの液晶セルを用いる。一方の液晶セルが通常のセグメント表示をし、他方の液晶セルが所謂反転パターンを表示する。複数のサブフレームの内、１つのサブフレームのみでバックライトの色を透光するように２つの液晶セルとバックライトを同期駆動する。従って、カラーブレークレス駆動方法では、表示できる色が制限される。
【０００８】
カラーブレークレス駆動方式においては、同時表示色数は、１フレームのサブフレーム分割数によって決定される。
【０００９】
一般的なフレーム周波数６０Ｈｚの駆動を想定した時、１フレームは約１６．７ｍｓとなる。このフレームを分割することで、その分割数に対する表示色が得られるが、現在利用されている液晶材料の応答速度の限界から、フレームの分割は実用上３程度までに制限される。
【００１０】
フレームの分割数が３であることは、遮光状態の黒を含め、４色表示が可能であることとなる。この場合、黒以外の３色はバックライトユニットの制御により任意の色を割り当てることが可能だが、同時表示色は黒を含め４を超えることが出来ない。
【００１１】
さらに背景色に任意色を表示可能とする場合、この４色のうち１色を背景用に割り当てる必要があり、ドット、意匠等を表示する領域における同時使用色数はさらに制限される。
【００１２】
本発明の目的は、この表示色数の少なさを補い、表示品質を落とさず同時表示色数の増加を可能とする液晶表示素子、それを用いた投射型表示装置およびそれぞれの駆動方法を提供することである。
【課題を解決するための手段】
【００１３】
本発明の一観点によれば、対向する第１の一対の基板と、該第１の一対の基板間に保持された第１の液晶層とを含み、前記第１の一対の基板が、所定の文字や図形を表示させる少なくとも一対の第１の画素電極を備え、該第１の画素電極に印加する電圧を調整することで該第１の液晶層の配向状態を制御可能な第１の液晶セルと、対向する第２の一対の基板と、該第２の一対の基板間に保持された第２の液晶層とを含み、前記第２の一対の基板が、前記第１の液晶セルにおける所定の文字や図形を完全に包含する第２の画素電極を備え、該第２の画素電極に印加する電圧を調整することで該第２の液晶層の配向状態を制御可能な第２の液晶セルと、前記第１、第２の液晶セルを含む層構造パネルにおける前記基板の法線方向に関して両側に配置された２枚のクロスポラライザーと、複数の色の発光が可能な光源と、１フレームを複数のサブフレームに時分割し、各サブフレーム内で所定の色の光を発光させ、その発光に同期させて前記第１および第２の液晶セルを含む構造体の複数の画素領域の透光および遮光の状態を制御する制御回路とを有し、前記第１、第２の液晶セルの少なくとも一方の液晶セルの液晶層の配向状態を、駆動状態と非駆動状態の中間の駆動状態に制御することで階調表示を行う液晶表示素子が提供される。
【００１４】
本発明の他の観点によれば、対向する第１の一対の基板と、該第１の一対の基板間に保持された第１の液晶層とを含み、前記第１の一対の基板が、所定の文字や図形を表示させる少なくとも一対の第１の画素電極を備え、該第１の画素電極に印加する電圧を調整することで該第１の液晶層の配向状態を制御可能な第１の液晶セルと、対向する第２の一対の基板と、該第２の一対の基板間に保持された第２の液晶層とを含み、前記第２の一対の基板が、前記第１の液晶セルにおける所定の文字や図形を完全に包含する第２の画素電極を備え、該第２の画素電極に印加する電圧を調整することで該第２の液晶層の配向状態を制御可能な第２の液晶セルと、前記第１、第２の液晶セルを含む層構造パネルにおける前記基板の法線方向に関して両側に配置された２枚のクロスポラライザーと、複数の色の発光が可能な光源と、１フレームを複数のサブフレームに時分割し、各サブフレーム内で所定の色の光を発光させ、その発光に同期させて前記第１および第２の液晶セルを含む構造体の複数の画素領域の透光および遮光の状態を制御する制御回路とを有する液晶表示素子の駆動方法であって、前記第１、第２の液晶セルの少なくとも一方の液晶セルの液晶層の配向状態を、駆動状態と非駆動状態の中間の駆動状態に制御することで階調表示を行う液晶表示素子の駆動方法が提供される。
【発明の効果】
【００１５】
ＦＳ駆動方式の液晶表示素子の表示品質を保ちつつ、マルチカラー表示を可能とする。
【発明を実施するための最良の形態】
【００１６】
図１に、実施例による液晶表示素子の主要部分である液晶表示部１０１の断面図を示す。ここでは、ＴＮ（ツイストネマチック）液晶セルを用いた例を説明する。図示のように、実施例による液晶表示部１０１は、２つのＴＮ液晶セル（背面セル１ａ、前面セル１ｂ）がガラス基板の法線方向に積層配置された液晶セル構造（２層構造パネルＳＰと呼ぶこととする）を含む。２層構造パネルＳＰの上下にはクロスポラライザー２ａ、２ｂ（透過軸方向が交差する偏光板）が配置される。
【００１７】
ＴＮ液晶セル１ａ（１ｂ）の配向膜として、日産化学工業（株）製の水平配向膜ＳＥ４１０を用いる。一対のガラス製透明基板３ａ１、３ａ２（３ｂ１、３ｂ２）に形成された配向膜にレーヨン製のラビング布を使用してラビング処理しプレチルト角を付与する。この配向膜と電極を有する一対の透明基板の電極側を向かい合わせ、直径２μｍのギャップコントロール材を介してシール材４ａで貼り合わせる。そしてメルク（株）製の複屈折率Δｎが０．２４で誘電率異方性が正の液晶材料にツイストを付与するカイラル材を添加したものを注入して１つの液晶セルを作製する。
【００１８】
図２に、偏光板の透過軸および液晶セルのラビング方向を示す。図中には４つの座標系が示されているが、左から順に、ポラライザー２ａ、ＴＮ液晶セル１ａ、ＴＮ液晶セル１ｂ、ポラライザー２ｂに対応する。なお、液晶表示素子は図中裏面から観察されるものとする。液晶のねじれ（ツイスト）の方向についてはバックライトの進行方向を基準とする。２層構造パネルの２つの液晶セルの違いは、液晶のツイスト方向が逆向きであることである。図示のように、背面液晶セル１ａの液晶分子が右ねじれ９０°、前面液晶セル１ｂの液晶分子が左ねじれ９０°となるようにラビングを施す。さらに、液晶セル１ａ、１ｂそれぞれの厚さ方向に関して中央に位置する液晶分子（液晶中央分子）の配向方向が互いに９０°の角度を為す。また、偏光板２ａ、２ｂは互いにクロスニコルになるように透過軸または吸収軸を直交して配置する。また、液晶中央分子の配向方向と４５°の角度を為すように偏光板２ａ、２ｂを配置する。
【００１９】
図３Ａ、図３Ｂに、２つの液晶セルの電極パターン例を示す。液晶セル１ａ、１ｂは、それぞれ液晶層に電圧を印加し表示をさせるための透明電極を有する。一方のセル（表示セルと呼ぶ）はセグメント表示をするためのセグメント電極、例えば図示の電極ａ〜ｄ、ｅ１〜ｅ７、のような構成を有し、他方のセル（背景表示セルとよぶ）は有効表示領域全てを表示する全面電極ｆを有する。なお、表示セルと背景表示セルはどちらのセルが上（背面側）であっても構成として可能である。
【００２０】
図４に、実施例によるフィールドシーケンシャル（ＦＳ）駆動方法の概念図を示す。液晶セルが２枚重なった２層構造パネルを含む液晶表示部１０１の背面に例えばＲ（赤）Ｇ（緑）Ｂ（青）がそれぞれ独立して発光可能なバックライト光源ＬＳ（発光ダイオードＬＥＤや冷陰極型蛍光ランプＣＣＦＬなど）が装備され、２層構造パネルのドライバ１０ａとバックライトドライバ１０ｂが同期して作動するよう同期コントローラ２０が装備される。
【００２１】
上記のようなＦＳ駆動方式の液晶表示素子は、２層構造パネルＳＰの２つの液晶セルが共に駆動状態（背景表示セルの液晶分子を立ち上がらせるのに十分な電圧が印加されている状態）か非駆動状態（スタティック駆動においては電圧無印加状態を表し、マルチプレックス駆動においては、ＴＮ液晶セルの液晶層が電圧無印加時の旋光性およびＴＮ配向を維持できる電圧を印加した状態）の場合、バックライトの光を遮光することが可能である。
【００２２】
図５に、階調表示の概念図を示す。実施例においては制御上簡単な例として、背景表示セルを駆動状態にするか、もしくは非駆動状態にしておき、表示セルに印加する電圧を制御して、所望のトーンの階調表示を行うように制御する例を挙げる。階調表示を行わない制御の場合、背景表示セル１ｂをＯＮ（またはＯＦＦ）状態し、表示セルをＯＦＦ（またはＯＮ）状態にすると、液晶表示部としては透光状態となるが、表示セルに加える電圧を調整することで、透過するバックライト光を調整し、濃淡表示を行うのが実施例のコンセプトである。図５中では１／２のバックライト光を透過するために、背景表示セルをＯＮ（またはＯＦＦ）し、表示セルを１／２ＯＮする例を示している。なお、実施例においては、階調表示を行う場合の電圧印加状態を○／○ＯＮ（○／○には階調表示のトーンの割合が入る）と表すこととする。
【００２３】
以下、実施例の態様について説明する。ここでは、駆動電圧１フレームを３つのサブフレームに分割した場合の実施例について説明する。
【００２４】
（実施例１）
図６に、表示例を示す。実施例１は、代表的なポジ表示である白背景にカラーのセグメント表示を行う態様である。全面電極ｆは各セグメント電極より大きく、また表示領域のほぼ全面に形成された電極であるので、表中のセグメント電極がそのまま表示領域となる。また表中の電極ｆの表示色は、セグメント電極が画定する表示領域以外の背景表示領域の色を示す。色の濃淡については、例えば青の輝度が通常の青の１／２の場合、１／２青と色の前に分数をつけて表現する。実施例１では、ａ−シアン、ｂ−マゼンタ（温度に応じて濃淡表示可能）、ｃ−シアン、ｄ−マゼンタ、ｅ１−シアン、ｅ２−２／３シアン、ｅ３−１／３シアン、ｅ４−黒、ｅ５−１／３マゼンタ、ｅ６−２／３マゼンタ、ｅ７−マゼンタ、ｆ−白とする。
【００２５】
図７に、実施例１による液晶表示素子の駆動方法の表を示す。図６に示した表は、各サブフレームでのＲＧＢ各ＬＥＤのＯＮ／ＯＦＦ状態と、表示セルに設けられたセグメント電極ａ〜ｄ、ｅ１〜ｅ７、および背景表示セルに設けられた全面電極ｆのＯＮ／ＯＦＦ状態と、各電極が画定する表示領域に表示される色とを表している。ＬＥＤのＯＮとは発光している状態を、ＯＦＦとは発光していない状態を表す。各電極のＯＮとは、駆動状態を表す。各電極のＯＦＦとは非駆動状態を指す。
【００２６】
実施例１では、ＴＮ液晶セルを用いている。ツイスト方向が逆向きの２つのＴＮ液晶セルが共にＯＦＦ状態の場合は、互いのセルが結果として光のツイストを打ち消すように作用するので、クロスポラライザーを備えた液晶表示部としては、遮光状態となる。２つのセルが共にＯＮ状態のときは、セルの液晶分子は垂直に立ち上がるので光は液晶セルをツイストせずに通過し、クロスポラライザーを備えた液晶表示部としては遮光状態となる。どちらか一方のセルがＯＮ状態の場合、ＯＮ状態のセルを光がツイストせずに通過し、ＯＦＦ状態のセルでは９０°ツイストする。従って液晶表示部としては透光状態となる。なお、実施例では、最適な視角特性が得られるようにツイストの方向を互いに逆向きにしているが、同じツイストの向きでも可能であろう。
【００２７】
それぞれのサブフレームでは、ＬＥＤが表示色に対応して発光しており、赤緑青それぞれのＯＮ／ＯＦＦと発光強度を調整することにより複数の色を発光させることが可能である。
【００２８】
バックライトが白色発光しているサブフレームにおいて全てのセグメント電極および全面電極ｆをＯＮ状態に設定することで、背景（セグメント電極と重ならない部分）を白表示にする。各セグメントには、各サブフレームに対応してＯＮもしくはＯＦＦが割り当てられる。背景表示セルにおける全面電極ｆと、表示セルにおける各セグメント電極が重なり合う表示領域では、どちらか一方のセルがＯＮの場合に液晶表示部として透光状態となる。双方のセルがＯＮもしくはＯＦＦのときには、液晶表示部として遮光状態となる。
【００２９】
また、電極ｂ、ｅ２、ｅ３、ｅ５、ｅ６などの様に、色の濃淡を表現したい場合（例えば、エアコンの温度を濃淡で表現したい場合など）には、セグメント電極に階調表示可能な実効電圧となる駆動波形を入力する。その駆動波形の入力は、ＯＮ電圧の調整や、ＯＮ波形を時分割するパルス制御など、実効電圧を操作する方法で行えば良い。
【００３０】
図７に示す表のように、液晶セルおよびバックライトを制御したカラーブレークレス液晶表示素子では、階調表示を行わない場合に比べ、サブフレーム分割数を超えた多色表示が可能となると共に、視差による色欠けや変色、２重写りなどの表示上の問題も生じない。
【００３１】
（実施例２）
図８に、表示例を示す。ＬＥＤのＯＮ／ＯＦＦおよび各電極のＯＮ／ＯＦＦの定義は実施例１と同様である。実施例２は、時間分割混色法により実施例１よりも多色表示が可能となる実施例である。但し、カラーブレーク現象を起こしても良い条件下での実施となることに注意するべきであろう。
【００３２】
図９に、実施例２による液晶表示素子の駆動方法の表を示す。図９に示すように、実施例２では、ａ−青、ｂ−赤または青（温度に応じて濃淡表示可能）、ｃ−青、ｄ−赤、ｅ１−青、ｅ２−シアン、ｅ３−１／２シアン、ｅ４−黒、ｅ５−１／２マゼンタ、ｅ６−マゼンタ、ｅ７−赤、ｆ−白とする。このように、実施例１に比べて多色表示が可能となる。
【００３３】
上記のように、液晶表示部１０１は、２つの液晶セルの電極が重なり合った部分において、液晶セル双方の駆動電圧がＯＦＦ状態の場合のみならず、双方がＯＮ状態の場合であっても、バックライトの光を遮光する。これにより表示ずれなどを防止して表示品位が向上したマルチカラー液晶表示素子を提供することができる。
【００３４】
さらに、液晶セルを階調表示可能に制御することでより多色の表示が可能な液晶表示素子を提供することができる。
【００３５】
本発明を適用できる他の表示装置として、投射型の表示装置が挙げられる。図１０Ａおよび図１０Ｂに、投射型表示装置の例を示す。
【００３６】
図１０Ａに示した投射型表示装置は、光の進行方向に順に位置関係を記述すると、平行光を出射する光源ＬＳ、ポラライザーＸ１、２層構造パネルＳＰ、ポラライザーＸ２、スクリーンＳＣが配置された構造である。ポラライザーＸ１、Ｘ２はクロスニコル配置とする。
【００３７】
図１０Ｂに示した投射型表示装置は、光の進行方向に順に位置関係を記述すると、例えば点光源である光源ＬＳ、ポラライザーＸ１、２層構造パネルＳＰ、ポラライザーＸ２、フレネルレンズＦＬ、スクリーンＳＣが配置された構造である。
【００３８】
このように、スクリーンＳＣに表示を投射させる方式をとれば、観察者はスクリーンに投射された基板にほぼ垂直な光の像を見ることになるため、視角による視認性の差異が生じ難くなる。
【００３９】
以上実施例に沿って本発明を説明したが、本発明はこれらに制限されるものではない。例えば、２層構造パネルＳＰに用いる液晶セルはＴＮ液晶セルに限られるものではなく、垂直配向型セルやＳＴＮ（スーパーツイストネマチック）型セル、さらには強誘電性液晶セルなどにおいても、互いの液晶セルが共にＯＮ状態、ＯＦＦ状態のそれぞれにおいてバックライトの光を遮光するように液晶セル条件を満足すれば、本発明が適用可能であることは当業者には自明であろう。
【００４０】
図１１に、一例として、２層構造パネルにラビング処理を施した垂直配向型液晶セルを用いた場合における、偏光板の透過軸および液晶セルのラビング方向を示す。４つの座標軸と各構造との対応関係は、左から順に、ポラライザーＸ１、垂直配向型液晶セルＶＣ１、垂直配向型液晶セルＶＣ２、ポラライザーＸ２である。図示のように、２つの垂直配向型液晶セルに電圧を印加した際、液晶分子が倒れこむ方向が互いに直交するような関係にラビング処理を施す。
【００４１】
また、この液晶セルにカイラル材をいれ、電圧印加時に液晶分子が倒れ込みながらツイストするような配向にする場合には、それぞれの液晶セルの液晶層に同じカイラルピッチでツイストの方向が逆になるように調整すれば良い。
【００４２】
また、表示セルに形成する電極としてセグメント電極の例を挙げたが、複数の画素（ドット）電極が並ぶドットマトリクス表示型の液晶セルでも良い。
【００４３】
さらに、実施例においては、背景表示セルに有効表示領域全てを表示する全面電極ｆを備えた例を開示しているが、背景表示セルは複数の表示領域を備えた構成とすることもできる。この場合背景表示セルの複数の領域間には液晶が駆動されない領域が存在し、典型的な例としては黒表示として視認されるものとなる。この黒表示部分をマスク印刷することも可能である。マスク印刷はブラックマスクでも良いし、表示装置周辺の外装色に合わせた所望の色でも構わない。
【００４４】
その他、種々の変更、改良、組み合わせ等が可能なことは当業者に自明であろう。
【図面の簡単な説明】
【００４５】
【図１】図１は、実施例による液晶表示素子の主要部分である液晶表示部の断面図である。
【図２】図２は、偏光板の透過軸および液晶セルのラビング方向を表す平面図である。
【図３】図３Ａ、図３Ｂは、２つの液晶セルの電極パターン例である。
【図４】図４は、実施例によるフィールドシーケンシャル（ＦＳ）駆動方法の概念図である。
【図５】図５は、階調表示の概念図である。
【図６】図６は、実施例１による表示例である。
【図７】図７は、実施例１による液晶表示素子の駆動方法の表である。
【図８】図８は、実施例２による表示例である。
【図９】図９は、実施例２による液晶表示素子の駆動方法の表である。
【図１０】図１０Ａ、図１０Ｂは、実施例を適用した投射型表示装置の例である。
【図１１】図１１は、２層構造パネルに垂直配向型液晶セルを用いた場合における、偏光板の透過軸および液晶セルのラビング方向を表す平面図である。
【符号の説明】
【００４６】
１ａ、１ｂ、ＶＣ１、ＶＣ２  液晶セル
２ａ、２ｂ、Ｘ１、Ｘ２  ポラライザー（偏光板）
３ａ１、３ａ２、３ｂ１、３ｂ２  基板
４ａ、４ｂ  シール材
５ａ１、５ａ２、５ｂ１、５ｂ２、ａ、ｂ、ｃ、ｄ、ｅ１〜ｅ７、ｆ  電極
１０ａ、１０ｂ  ドライバ
２０  同期コントローラ
１０１  液晶表示部
ＦＬ  フレネルレンズ
ＬＳ  光源
ＳＣ  スクリーン
ＳＰ  ２層構造パネル
【図１】
2008249815.tif 000003
【図２】
2008249815.tif 000004
【図３】
2008249815.tif 000005
【図４】
2008249815.tif 000006
【図５】
2008249815.tif 000007
【図６】
2008249815.tif 000008
【図７】
2008249815.tif 000009
【図８】
2008249815.tif 000010
【図９】
2008249815.tif 000011
【図１０】
2008249815.tif 000012
【図１１】
2008249815.tif 000013